(57)【要約】【課題】ユーザ操作に基づいて画像情報の送信を行う画像処理装置、画象処理方法、及び画像処理プログラムを提供する。【解決手段】画面３０１で原稿種類を選択し、確定ボタンを押下すると、画面３０２の原稿サイズ選択画面に遷移する。画面３０２で原稿サイズを選択し、確定ボタンを押下すると、画面３０３の解像度選択画面に遷移する。画面３０３で解像度を選択し、確定ボタンを押下すると、画面３０４のメール送信先選択画面に遷移する。画面３０４でメール送信先を選択し、確定ボタンを押下すると、画面３０５の読み取り開始待機画面に遷移する。この状態で、操作部８のスタートボタンが押下されると、制御部６によって原稿画像の読み取りと読み取り画像の送信が制御される。【選択図】図３
2007312101.tif 000002
【特許請求の範囲】
【請求項１】
複数の機能と、ユーザからの前記各機能に係る操作を受け付ける操作手段とを有し、前記操作手段によって受け付けた操作に応じて前記各機能を利用して種々の画像処理を行う画像処理装置において、
前記操作手段によって受け付ける操作に対応する前記機能を選択する機能選択手段を有することを特徴とする画像処理装置。
【請求項２】
前記操作手段によって受け付ける操作の順序を設定する設定手段を有することを特徴とする請求項１記載の画像処理装置。
【請求項３】
前記機能の詳細を設定する際の選択肢を選択する選択肢選択手段を有することを特徴とする請求項１又は２記載の画像処理装置。
【請求項４】
ネットワークで接続された外部機器と通信する通信手段を有し、
前記通信手段を介して前記機能選択手段による前記各機能の選択を受け付けることを特徴とする請求項１から３のいずれか１項記載の画像処理装置。
【請求項５】
前記通信手段を介して前記設定手段による操作の順序の設定を受け付けることを特徴とする請求項４記載の画像処理装置。
【請求項６】
前記通信手段を介して前記選択肢選択手段による選択肢の選択を受け付けることを特徴とする請求項４又は５記載の画像処理装置。
【請求項７】
前記機能選択手段によって選択された前記機能からなる第１のリストボックスと、
前記機能選択手段によって選択されなかった前記機能からなる第２のリストボックスとを有し、
前記機能選択手段によって前記機能の選択を受け付けるとき、前記操作手段は、前記第１のリストボックス及び前記第２のリストボックスにおいて管理されるリストを表示することを特徴とする請求項１から６のいずれか１項記載の画像処理装置。
【請求項８】
前記選択肢選択手段によって選択された前記各機能の前記選択肢からなる第３のリストボックスと、
前記選択肢選択手段によって選択されなかった前記各機能の前記選択肢からなる第４のリストボックスとを有し、
前記機能選択手段によって前記機能が選択されたとき、前記操作手段は、該機能に対応する前記選択肢からなる前記第３のリストボックス及び前記第４のリストボックスを表示することを特徴とする請求項７記載の画像処理装置。
【請求項９】
前記通信手段を介して前記機能の選択を受け付けるとき、前記第１のリストボックス及び前記第２のリストボックスを前記外部機器に提示することを特徴とする請求項７又は８記載の画像処理装置。
【請求項１０】
前記通信手段を介して前記機能が選択されたとき、前記第３のリストボックス及び第４のリストボックスを前記外部機器に提示することを特徴とする請求項９記載の画像処理装置。
【請求項１１】
複数の機能と、ユーザからの前記各機能に係る操作を受け付ける操作手段とを有し、前記操作手段によって受け付けた操作に応じて前記各機能を利用して種々の画像処理を行う画像処理装置の画像処理方法において、
前記操作手段によって受け付ける操作に対応する前記機能を選択する機能選択工程を有することを特徴とする画像処理方法。
【請求項１２】
前記操作手段によって受け付ける操作の順序を設定する設定工程を有することを特徴とする請求項１１記載の画像処理方法。
【請求項１３】
前記機能の詳細を設定する際の選択肢を選択する選択肢選択工程を有することを特徴とする請求項１１又は１２記載の画像処理方法。
【請求項１４】
前記画像処理装置は、ネットワークで接続された外部機器と通信する通信手段を有し、
前記通信手段を介して前記機能選択工程による前記各機能の選択を受け付ける工程を有することを特徴とする請求項１１から１３のいずれか１項記載の画像処理方法。
【請求項１５】
前記通信手段を介して前記設定工程による操作の順序の設定を受け付ける工程を有することを特徴とする請求項１４記載の画像処理方法。
【請求項１６】
前記通信手段を介して前記選択肢選択工程による選択肢の選択を受け付ける工程を有することを特徴とする請求項１４又は１５記載の画像処理方法。
【請求項１７】
前記画像処理装置は、前記機能選択工程によって選択された前記機能からなる第１のリストボックスと、前記機能選択工程によって選択されなかった前記機能からなる第２のリストボックスとを有し、
前記機能選択工程によって前記機能の選択を受け付けるとき、前記操作手段は、前記第１のリストボックス及び前記第２のリストボックスにおいて管理されるリストを表示する工程を有することを特徴とする請求項１１から１６のいずれか１項記載の画像処理方法。
【請求項１８】
前記画像処理装置は、前記選択肢選択工程によって選択された前記各機能の前記選択肢からなる第３のリストボックスと、前記選択肢選択工程によって選択されなかった前記各機能の前記選択肢からなる第４のリストボックスとを有し、
前記機能選択工程によって前記機能が選択されたとき、前記操作手段は、該機能に対応する前記選択肢からなる前記第３のリストボックス及び前記第４のリストボックスを表示する工程を有することを特徴とする請求項１７記載の画像処理方法。
【請求項１９】
前記通信手段を介して前記機能の選択を受け付けるとき、前記第１のリストボックス及び前記第２のリストボックスを前記外部機器に提示する工程を有することを特徴とする請求項１７又は１８記載の画像処理方法。
【請求項２０】
前記通信手段を介して前記機能が選択されたとき、前記第３のリストボックス及び第４のリストボックスを前記外部機器に提示する工程を有することを特徴とする請求項１９記載の画像処理方法。
【請求項２１】
複数の機能と、ユーザからの前記各機能に係る操作を受け付ける操作手段とを有し、前記操作手段によって受け付けた操作に応じて前記各機能を利用して種々の画像処理を行う画像処理装置の画像処理プログラムにおいて、
前記操作手段によって受け付ける操作に対応する前記機能を選択する機能選択処理を有することを特徴とする画像処理プログラム。
【請求項２２】
前記操作手段によって受け付ける操作の順序を設定する設定処理を有することを特徴とする請求項２１記載の画像処理プログラム。
【請求項２３】
前記機能の詳細を設定する際の選択肢を選択する選択肢選択処理を有することを特徴とする請求項２１又は２２記載の画像処理プログラム。
【請求項２４】
前記画像処理装置は、ネットワークで接続された外部機器と通信する通信手段を有し、
前記通信手段を介して前記機能選択処理による前記各機能の選択を受け付ける処理を有することを特徴とする請求項２１から２３のいずれか１項記載の画像処理プログラム。
【請求項２５】
前記通信手段を介して前記設定処理による操作の順序の設定を受け付ける処理を有することを特徴とする請求項２４記載の画像処理プログラム。
【請求項２６】
前記通信手段を介して前記選択肢選択処理による選択肢の選択を受け付ける処理を有することを特徴とする請求項２４又は２５記載の画像処理プログラム。
【請求項２７】
前記画像処理装置は、前記機能選択処理によって選択された前記機能からなる第１のリストボックスと、前記機能選択処理によって選択されなかった前記機能からなる第２のリストボックスとを有し、
前記機能選択処理によって前記機能の選択を受け付けるとき、前記操作手段は、前記第１のリストボックス及び前記第２のリストボックスにおいて管理されるリストを表示する処理を有することを特徴とする請求項２１から２６のいずれか１項記載の画像処理プログラム。
【請求項２８】
前記画像処理装置は、前記選択肢選択処理によって選択された前記各機能の前記選択肢からなる第３のリストボックスと、前記選択肢選択処理によって選択されなかった前記各機能の前記選択肢からなる第４のリストボックスとを有し、
前記機能選択処理によって前記機能が選択されたとき、前記操作手段は、該機能に対応する前記選択肢からなる前記第３のリストボックス及び前記第４のリストボックスを表示する処理を有することを特徴とする請求項２７記載の画像処理プログラム。
【請求項２９】
前記通信手段を介して前記機能の選択を受け付けるとき、前記第１のリストボックス及び前記第２のリストボックスを前記外部機器に提示する処理を有することを特徴とする請求項２７又は２８記載の画像処理プログラム。
【請求項３０】
前記通信手段を介して前記機能が選択されたとき、前記第３のリストボックス及び第４のリストボックスを前記外部機器に提示する処理を有することを特徴とする請求項２９記載の画像処理プログラム。
【発明の詳細な説明】
【技術分野】
【０００１】
本発明は、画像処理装置、画象処理方法、及び画像処理プログラムに関し、特に、ユーザ操作に基づいて画像情報の送信を行う画像処理装置、画象処理方法、及び画像処理プログラムに関する。
【背景技術】
【０００２】
画像処理装置においては、所望の動作、例えば、送信動作を実行するためには、操作部に設けられた複数のキーを所定の順序でキー操作する必要がある。このような複数のキーを所定の順序でキー操作することは、面倒であり、操作性が悪い。
【０００３】
特許文献１では、複数の操作キーを備えた操作手段で入力操作された複数の操作キーのキー情報及び少なくとも該複数の入力操作の操作間隔時間を、操作取得手段により取得して、この取得した複数のキー情報と操作間隔時間を記憶手段に記憶し、記憶手段に記憶した複数のキー情報と操作間隔時間を、出力手段により、複数のキー操作の操作順に所定の規則に従って所定の識別シートに記録出力させることにより、識別シートを見ることにより操作キーの操作手順を簡単、かつ、容易に理解することができる画像処理装置が提案されている。
【０００４】
特許文献２では、アクセスログを保持する文書管理システムであって、文書の詳細情報を記憶する文書情報記憶部と、前記文書中の画像データをファイル単位で記憶する画像記憶部と、クライアントがアクセスしたログを随時書き込み記憶するアクセス記憶部と、該アクセスログ記憶部に記憶されたアクセスログに基づいて前操作と後操作の操作ペアの回数を管理する操作フローログ記憶部と、システム共通の情報である非連続操作時間パラメータ及び対象アクセス期間を記憶するシステム情報記憶部と、通信ネットワークを介してネットワークに接続されているクライアントコンピュータとデータ通信するネットワーク接続部と、全体の制御を司る制御部と、を備えた文書管理システムが提案されている。
【０００５】
特許文献３では、ユーザがデータをセットするためのユーザセットキーと、データ入力する操作キーと、その内容を表示する表示部と、入力されたデータを記憶する記憶装置とからなり、ユーザ別の表示が可能な複写機が提案されている。
【０００６】
特許文献４では、複数の設定メニューを用いて、所定の処理動作を行うためのパラメータを設定するメニュー操作方法であって、前記パラメータを設定する前記設定メニューを操作させる設定画面、またはそれ以外の表示画面を作成して、表示手段に表示する表示ステップと、表示された前記設定画面を参照して前記設定メニューを操作させ、前記パラメータの値を入力手段から入力させて前記パラメータの設定を行う設定ステップと、前記パラメータの設定を終了した後に、処理開始画面を前記表示手段に表示して、前記処理動作の実行の開始を指示させる開始ステップと、を備え、前記処理動作の実行を終了した後、設定されている前記パラメータの値を用いた前記処理動作を続けて実行するときに、その前記パラメータの値が保持された状態で、前記処理開始画面の１画面前の最後の前記設定画面に戻るメニュー操作方法が提案されている。
【特許文献１】特開平０８−２０４８６８号公報
【特許文献２】特開２００４−１０２９３５号公報
【特許文献３】特開昭６０−２３０１６０号公報
【特許文献４】特許第３７４４３０８号公報
【発明の開示】
【発明が解決しようとする課題】
【０００７】
しかし、上記の発明は以下の問題を有している。
【０００８】
画像処理装置の使用法はユーザの業態などによって多種多様なため、ある特定のユーザにとっては便利な操作手順であっても、他のユーザにとっては単に煩わしいだけの操作手順になる場合がある。このような問題を解決するため、上述の従来技術に示す画像処理装置が考案され、操作性の向上が図られているが、いずれの場合も、ユーザの要求を満たすには不十分な場合が多い。
【０００９】
例えば、特許文献１記載の画像処理装置は、ＯＭＲシートを用いることにより、操作キーの操作手順を容易化しているが、記載済みのＯＭＲシートをそのまま利用する場合、そのＯＭＲシートがどんな意味を持つものかを理解することが困難である。
【００１０】
特許文献２記載の文書管理システムは、ユーザの次の操作を予測して、予想されるものを優先表示するようになっているが、あくまでも予測であり、ユーザの要求を満たさないという問題がある。
【００１１】
特許文献３記載の複写機は、設定内容をプログラム登録できるようになっているが、操作手順の変更まではできないため、ユーザの要求を満たさないという問題がある。
【００１２】
特許文献４記載のメニュー操作方法は、メニュー操作方法を工夫しているが、操作手順の変更まではできないため、ユーザの要求を満たさないという問題がある。また、ユーザの満足する操作手順を実現するため、ユーザ向けにカスタマイズした製品が開発されることもあるが、この場合、カスタマイズ用の開発費用が発生するなどの問題がある。また、ユーザ要求は変化しやすいため、その都度、カスタマイズ作業が発生するという問題がある。
【００１３】
本発明は、条件設定の際、予め選択された各条件の詳細を設定する画面を順に表示して操作画面を推移させることにより、各条件を設定する毎に待受画面に戻る必要がなく、かつユーザが必要とする条件の詳細を設定する画面のみを順に表示することにより、その選択が単純であり、かつ操作回数も減らすことができる画像処理装置、画像処理方法、及び画像処理プログラムを提案することを目的としている。
【課題を解決するための手段】
【００１４】
請求項１記載の発明は、複数の機能と、ユーザからの前記各機能に係る操作を受け付ける操作手段とを有し、前記操作手段によって受け付けた操作に応じて前記各機能を利用して種々の画像処理を行う画像処理装置において、前記操作手段によって受け付ける操作に対応する前記機能を選択する機能選択手段を有することを特徴とする。
【００１５】
請求項２記載の発明は、請求項１記載の画像処理装置において、前記操作手段によって受け付ける操作の順序を設定する設定手段を有することを特徴とする。
【００１６】
請求項３記載の発明は、請求項１又は２記載の画像処理装置において、前記機能の詳細を設定する際の選択肢を選択する選択肢選択手段を有することを特徴とする。
【００１７】
請求項４記載の発明は、請求項１から３のいずれか１項記載の画像処理装置において、ネットワークで接続された外部機器と通信する通信手段を有し、前記通信手段を介して前記機能選択手段による前記各機能の選択を受け付けることを特徴とする。
【００１８】
請求項５記載の発明は、請求項４記載の画像処理装置において、前記通信手段を介して前記設定手段による操作の順序の設定を受け付けることを特徴とする。
【００１９】
請求項６記載の発明は、請求項４又は５記載の画像処理装置において、前記通信手段を介して前記選択肢選択手段による選択肢の選択を受け付けることを特徴とする。
【００２０】
請求項７記載の発明は、請求項１から６のいずれか１項記載の画像処理装置において、前記機能選択手段によって選択された前記機能からなる第１のリストボックスと、前記機能選択手段によって選択されなかった前記機能からなる第２のリストボックスとを有し、前記機能選択手段によって前記機能の選択を受け付けるとき、前記操作手段は、前記第１のリストボックス及び前記第２のリストボックスにおいて管理されるリストを表示することを特徴とする。
【００２１】
請求項８記載の発明は、請求項７記載の画像処理装置において、前記選択肢選択手段によって選択された前記各機能の前記選択肢からなる第３のリストボックスと、前記選択肢選択手段によって選択されなかった前記各機能の前記選択肢からなる第４のリストボックスとを有し、前記機能選択手段によって前記機能が選択されたとき、前記操作手段は、該機能に対応する前記選択肢からなる前記第３のリストボックス及び前記第４のリストボックスを表示することを特徴とする。
【００２２】
請求項９記載の発明は、請求項７又は８記載の画像処理装置において、前記通信手段を介して前記機能の選択を受け付けるとき、前記第１のリストボックス及び前記第２のリストボックスを前記外部機器に提示することを特徴とする。
【００２３】
請求項１０記載の発明は、請求項９記載の画像処理装置において、前記通信手段を介して前記機能が選択されたとき、前記第３のリストボックス及び第４のリストボックスを前記外部機器に提示することを特徴とする。
【００２４】
請求項１１記載の発明は、複数の機能と、ユーザからの前記各機能に係る操作を受け付ける操作手段とを有し、前記操作手段によって受け付けた操作に応じて前記各機能を利用して種々の画像処理を行う画像処理装置の画像処理方法において、前記操作手段によって受け付ける操作に対応する前記機能を選択する機能選択工程を有することを特徴とする。
【００２５】
請求項１２記載の発明は、請求項１１記載の画像処理方法において、前記操作手段によって受け付ける操作の順序を設定する設定工程を有することを特徴とする。
【００２６】
請求項１３記載の発明は、請求項１１又は１２記載の画像処理方法において、前記機能の詳細を設定する際の選択肢を選択する選択肢選択工程を有することを特徴とする。
【００２７】
請求項１４記載の発明は、請求項１１から１３のいずれか１項記載の画像処理方法において、前記画像処理装置は、ネットワークで接続された外部機器と通信する通信手段を有し、前記通信手段を介して前記機能選択工程による前記各機能の選択を受け付ける工程を有することを特徴とする。
【００２８】
請求項１５記載の発明は、請求項１４記載の画像処理方法において、前記通信手段を介して前記設定工程による操作の順序の設定を受け付ける工程を有することを特徴とする。
【００２９】
請求項１６記載の発明は、請求項１４又は１５記載の画像処理方法において、前記通信手段を介して前記選択肢選択工程による選択肢の選択を受け付ける工程を有することを特徴とする。
【００３０】
請求項１７記載の発明は、請求項１１から１６のいずれか１項記載の画像処理方法において、前記画像処理装置は、前記機能選択工程によって選択された前記機能からなる第１のリストボックスと、前記機能選択工程によって選択されなかった前記機能からなる第２のリストボックスとを有し、前記機能選択工程によって前記機能の選択を受け付けるとき、前記操作手段は、前記第１のリストボックス及び前記第２のリストボックスにおいて管理されるリストを表示する工程を有することを特徴とする。
【００３１】
請求項１８記載の発明は、請求項１７記載の画像処理方法において、前記画像処理装置は、前記選択肢選択工程によって選択された前記各機能の前記選択肢からなる第３のリストボックスと、前記選択肢選択工程によって選択されなかった前記各機能の前記選択肢からなる第４のリストボックスとを有し、前記機能選択工程によって前記機能が選択されたとき、前記操作手段は、該機能に対応する前記選択肢からなる前記第３のリストボックス及び前記第４のリストボックスを表示する工程を有することを特徴とする。
【００３２】
請求項１９記載の発明は、請求項１７又は１８記載の画像処理方法において、前記通信手段を介して前記機能の選択を受け付けるとき、前記第１のリストボックス及び前記第２のリストボックスを前記外部機器に提示する工程を有することを特徴とする。
【００３３】
請求項２０記載の発明は、請求項１９記載の画像処理方法において、前記通信手段を介して前記機能が選択されたとき、前記第３のリストボックス及び第４のリストボックスを前記外部機器に提示する工程を有することを特徴とする。
【００３４】
請求項２１記載の発明は、複数の機能と、ユーザからの前記各機能に係る操作を受け付ける操作手段とを有し、前記操作手段によって受け付けた操作に応じて前記各機能を利用して種々の画像処理を行う画像処理装置の画像処理プログラムにおいて、前記操作手段によって受け付ける操作に対応する前記機能を選択する機能選択処理を有することを特徴とする。
【００３５】
請求項２２記載の発明は、請求項２１記載の画像処理プログラムにおいて、前記操作手段によって受け付ける操作の順序を設定する設定処理を有することを特徴とする。
【００３６】
請求項２３記載の発明は、請求項２１又は２２記載の画像処理プログラムにおいて、前記機能の詳細を設定する際の選択肢を選択する選択肢選択処理を有することを特徴とする。
【００３７】
請求項２４記載の発明は、請求項２１から２３のいずれか１項記載の画像処理プログラムにおいて、前記画像処理装置は、ネットワークで接続された外部機器と通信する通信手段を有し、前記通信手段を介して前記機能選択処理による前記各機能の選択を受け付ける処理を有することを特徴とする。
【００３８】
請求項２５記載の発明は、請求項２４記載の画像処理プログラムにおいて、前記通信手段を介して前記設定処理による操作の順序の設定を受け付ける処理を有することを特徴とする。
【００３９】
請求項２６記載の発明は、請求項２４又は２５記載の画像処理プログラムにおいて、前記通信手段を介して前記選択肢選択処理による選択肢の選択を受け付ける処理を有することを特徴とする。
【００４０】
請求項２７記載の発明は、請求項２１から２６のいずれか１項記載の画像処理プログラムにおいて、前記画像処理装置は、前記機能選択処理によって選択された前記機能からなる第１のリストボックスと、前記機能選択処理によって選択されなかった前記機能からなる第２のリストボックスとを有し、前記機能選択処理によって前記機能の選択を受け付けるとき、前記操作手段は、前記第１のリストボックス及び前記第２のリストボックスにおいて管理されるリストを表示する処理を有することを特徴とする。
【００４１】
請求項２８記載の発明は、請求項２７記載の画像処理プログラムにおいて、前記画像処理装置は、前記選択肢選択処理によって選択された前記各機能の前記選択肢からなる第３のリストボックスと、前記選択肢選択処理によって選択されなかった前記各機能の前記選択肢からなる第４のリストボックスとを有し、前記機能選択処理によって前記機能が選択されたとき、前記操作手段は、該機能に対応する前記選択肢からなる前記第３のリストボックス及び前記第４のリストボックスを表示する処理を有することを特徴とする。
【００４２】
請求項２９記載の発明は、請求項２７又は２８記載の画像処理プログラムにおいて、前記通信手段を介して前記機能の選択を受け付けるとき、前記第１のリストボックス及び前記第２のリストボックスを前記外部機器に提示する処理を有することを特徴とする。
【００４３】
請求項３０記載の発明は、請求項２９記載の画像処理プログラムにおいて、前記通信手段を介して前記機能が選択されたとき、前記第３のリストボックス及び第４のリストボックスを前記外部機器に提示する処理を有することを特徴とする。
【発明の効果】
【００４４】
本発明は、条件設定の際、予め選択された各条件の詳細を設定する画面を順に表示して操作画面を推移させることにより、各条件を設定する毎に待受画面に戻る必要がなく、かつユーザが必要とする条件の詳細を設定する画面のみを順に表示することにより、その選択が単純であり、かつ操作回数も減らすことができる。
【発明を実施するための最良の形態】
【００４５】
以下、本発明の一実施形態に係る画像処理装置の構成及び動作について説明する。
【００４６】
図１（ａ）は、本実施形態に係る画像処理装置１の概略構成を説明する図であり、図１（ｂ）は、（ａ）の制御部６内の概略構成図である。
【００４７】
図１（ａ）に示すように、本実施形態に係る画像処理装置１は、ネットワーク２を介して複数のパーソナルコンピュータ（ＰＣ）３、４と接続されている。本実施形態に係る画像処理装置１は、スキャナ部５、制御部６、メモリ７、操作部８、Ｉ／Ｆ部９などを有して構成されている。
【００４８】
スキャナ部５は、絵、文字、又は写真等の原稿画像のイメージをラインセンサやＣＣＤ（固体撮像素子）などを用いて画素単位の電気信号に変換し、イメージデータとして取り込む。
【００４９】
制御部６は、画像処理装置１全体の制御を行うものであり、図１（ｂ）に示すように、ＣＰＵ１０、ＲＯＭ１１、ＲＡＭ１２などを有して構成されている。制御部６は、ＣＰＵ１０がＲＯＭ１１に格納された基本プログラムに従って、ＲＡＭ１２に各種パラメータやプログラム等を一時的に格納しながら各種制御動作を実行する。
【００５０】
メモリ７は、スキャナ部５で読み取ったイメージデータの書き込み、読み出し、及び消去する記憶媒体である。
【００５１】
操作部８は、ユーザが画像処理装置１を操作する操作ボタンや動作状態を表示するモニタ等を有する。例えば、スキャナ部５に画像の読み取り開始を指示するスタートボタンなどを有する。
【００５２】
Ｉ／Ｆ部９は、ネットワーク２への接続部である。
【００５３】
ここで、図２を用いて従来の画像処理装置における操作画面の推移について説明する。図２は、従来の画像処理装置において操作部８のモニタに表示される操作画面推移を示す図である。ユーザは、これらの画面から画像処理装置１を操作する。画像処理装置１は、該画面からの操作によって指定された読取条件で読み取った画像データを、選択された宛先に送信する。
【００５４】
画面２０１は、待機状態の画面である。ユーザは、画面２０１から「読取条件」、「メール送信」、「ファイル送信」の３つの操作を選択することができる。「読取条件」が選択された場合、モニタに表示される画面は画面２０２に遷移する。また、「メール送信」が選択された場合は画面２０５に遷移する。また、「ファイル送信」が選択された場合は、画面２０８に遷移する。
【００５５】
画面２０２には、マニュアル設定、ユーザＡ、ユーザＢ、及びユーザＣの選択肢がある。そして、いずれかの選択肢を選択すると、選択された選択肢に対応する読取条件が表示される。また、ユーザは、マニュアル設定、ユーザＡ、ユーザＢ、及びユーザＣのいずれかを選択した状態で、「設定変更」、「一覧表示」、「確定」、「取消」の４つの操作を選択し、読取条件の確定・参照・取消、又は画面２０３における読取条件の変更を選択する。「設定変更」が選択された場合、モニタに表示される画面は画面２０３に遷移する。「一覧表示」が選択された場合、モニタには画面２０２に表示された読取条件のより詳細な設定が表示される。「確定」が選択された場合は、現在の読取条件が改めて設定される。「取消」が選択された場合は、現在の読取条件が取り消される。
【００５６】
画面２０３は、読取条件の設定が可能な画面であり、原稿種類、解像度、原稿サイズ、濃度などの選択肢がある。ユーザは、原稿種類、解像度、原稿サイズ、濃度などの選択肢のうち、いずれかを選択した状態で、「設定」を選択することにより画面２０４において解像度を設定することができる。また、「次ページ」又は「前ページ」を選択することにより、他の読取条件を示す選択肢を表示する画面へ遷移させることができる。また、「前メニュー」を選択することにより、モニタに表示される画面は再び画面２０２に遷移する。
【００５７】
画面２０４は、読み取り時における解像度が選択可能な画面であり、１００ｄｐｉ、２００ｄｐｉ、３００ｄｐｉ、４００ｄｐｉ、６００ｄｐｉ、任意解像度などの選択肢がある。ユーザは、１００ｄｐｉ、２００ｄｐｉ、３００ｄｐｉ、４００ｄｐｉ、６００ｄｐｉ、任意解像度などの選択肢のうち、いずれかを選択した状態で「確定」を選択することにより画面２０４において解像度を設定することができる。
【００５８】
画面２０５は、メール送信に関わる設定を行う画面であり、Ｔｏ：、Ｃｃ：、送信者：、件名：などの選択肢がある。ユーザは、Ｔｏ：、Ｃｃ：、送信者：、件名：などの選択肢のうち、いずれかを選択した状態で「一覧」を選択することにより、宛先の一覧を示す画面２０６をモニタに表示させることができる。また、Ｔｏ：、Ｃｃ：、送信者：、件名：などが選択された後、「確定」を選択することにより、メール送信に関わる設定を完了させる。
【００５９】
画面２０６は、メールを送信する宛先を選択する画面であり、いずれかの宛先を選択した状態で、「選択」を選択することにより画面２０６において宛先を設定することができる。画面２０７は、メールを送信する宛先を解除する画面であり、いずれかの宛先を選択した状態で、「選択解除」を選択することにより画面２０７において宛先を解除することができる。
【００６０】
画面２０８は、ファイルを送信する際のファイル転送プロトコル、ファイル共有プロトコル、ファイル名等を設定する画面である。
【００６１】
従来の画像処理装置においては、スキャナ部５に原稿がセットされ、さらに上記手順で読取条件や宛先が設定され、操作部８のスタートボタンが押下されると、制御部６によって原稿画像の読み取りと読み取り画像の送信が制御される。つまり、上述した操作画面推移によると、このような階層型メニューは、条件設定の際、各条件を設定する毎に待受画面に戻らなければならない。また、ユーザが必要としない条件も表示されるため、その選択が複雑であり、かつ操作回数が多くなり、ユーザにとって不便である。
【００６２】
次に、本実施形態に係る画像処理装置の操作画面の推移について説明する。本実施形態に係る画像処理装置においては、条件設定の際、予め選択された各条件の詳細を設定する画面を順に表示して操作画面を推移させる。よって、各条件を設定する毎に待受画面に戻る必要がない。また、ユーザが必要とする条件の詳細を設定する画面のみが順に表示されるため、その選択が単純であり、かつ操作回数も減らすことができる。
【００６３】
図３は、本実施形態に係る画像処理装置に表示される操作画面の推移の一例である。
【００６４】
画面３０１は、待機状態の画面であり、原稿種類の選択画面である。画面３０１で原稿種類を選択し、確定ボタンを押下すると、画面３０２の原稿サイズ選択画面に遷移する。画面３０２で原稿サイズを選択し、確定ボタンを押下すると、画面３０３の解像度選択画面に遷移する。画面３０３で解像度を選択し、確定ボタンを押下すると、画面３０４のメール送信先選択画面に遷移する。画面３０４でメール送信先を選択し、確定ボタンを押下すると、画面３０５の読み取り開始待機画面に遷移する。この状態で、操作部８のスタートボタンが押下されると、制御部６によって原稿画像の読み取りと読み取り画像の送信が制御される。
【００６５】
図４は、インターネットエクスプローラなどのウェブブラウザで操作手順を変更する際の画面４０１である。画面４０１には、４つのリストボックス（４０２、４０３、４０４、４０５）が表示され、リストボックス内のアイテムを選択／削除することにより、ユーザが設定したい条件を選択することができる。リストボックス（４０２、４０３、４０４、４０５）は、ＲＡＭ１２において管理されている（図６に示す）。また、各リストボックスにおいて管理される各項目は、ＲＯＭ１１に記録されている。
【００６６】
リストボックス４０２は、リストボックス４０５に追加する条件からなるリストを保持するリストボックスである。リストボックス４０５は、リストボックス４０２から追加された条件からなるリストを保持するリストボックスであり、読み取り条件を設定する際の設定項目となる。リストボックス４０３は、リストボックス４０４に追加する各条件に対する選択肢からなるリストを保持するリストボックスである。リストボックス４０４は、各条件に対する選択肢からなるリストを保持するリストボックスである。
【００６７】
また、画面４０１には、ボタン（４０６〜４１４）が表示され、これらのボタンを押下することにより、各リストボックス内のアイテムを追加、削除、昇順並び替えることができる。
【００６８】
以下、図４及び５を用いてユーザが設定したい条件を選択・設定する操作手順を詳細に説明する。
【００６９】
まず、ユーザは操作部８又はＰＣ（３、４）を操作して図４に示す画面４０１を操作部８のモニタ又はＰＣ（３、４）のモニタに表示させる（ステップＳ５０１）。
【００７０】
ここでは、リストボックス４０５にユーザが設定したい条件である「解像度」を追加する時の操作について説明する。まず、ユーザはリストボックス４０２から「解像度」を選択する（ステップＳ５０２／ＹＥＳ）。リストボックス４０２において「解像度」が選択されると、それに連動して、リストボックス４０３に解像度として設定可能なアイテムが表示される（ステップＳ５０３）。次に、リストボックス４０３に表示されたアイテムをリストボックス４０４に追加する（ステップＳ５０４）。リストボックス４０４に追加されたアイテムは、読み取り条件の１つとして設定された解像度の詳細を設定する際の選択肢となる。具体的には、リストボックス４０４にリストボックス４０３のアイテムを追加するには、リストボックス４０３に表示されたアイテムを選択した状態でボタン４０８を押下する。逆に、リストボックス４０４に表示されたアイテムを削除して、リストボックス４０３に戻すには、リストボックス４０４のアイテムを選択した状態でボタン４０９を押下する。なお、リストボックス４０４に表示されたアイテムの昇順を変更する場合は、ボタン（４１０、４１１）を使用する。具体的には、リストボックス４０４のアイテムを選択した状態でボタン４１０を押下することにより、選択したアイテムをリストボックス４０４内で１つ上に移動させることができる。逆にリストボックス４０４のアイテムを選択した状態でボタン４１１を押下することにより、選択したアイテムをリストボックス４０４内で１つ下に移動させることができる。以上の操作により、読み取り条件の１つとして設定された各条件の詳細を設定する際の選択肢を設定することができる。なお、先に述べたように、リストボックス４０４は、各条件の詳細を設定する際の選択肢となり、選択肢はリストボックス４０４内の昇順で、操作画面に表示される。
【００７１】
リストボックス４０４に各条件の選択肢が設定された後、ボタン４０６が押下されると、リストボックス４０２で選択されているアイテムがリストボックス４０５に追加される。逆にリストボックス４０５に表示されているアイテムを削除して、リストボックス４０２に戻すには、リストボックス４０５のアイテムを選択した状態でボタン４０７を押下する。また、リストボックス４０５の各アイテムの昇順を変更するには、ボタン（４１２、４１３）を使用する。リストボックス４０５は、読み取り条件を設定する際の設定項目となる（ステップＳ５０６）。操作画面は、リストボックス４０５内の昇順に従って各条件の詳細を設定する画面へ遷移する。なお、リストボックス４０５へのアイテムの設定を完了する際、ボタン４１４を押下することによりシステムに反映させる。
【図面の簡単な説明】
【００７２】
【図１】（ａ）は、本実施形態に係る画像処理装置の構成を示すブロック図である。（ｂ）は、制御部の構成を示すブロック図である。
【図２】従来の画像処理装置における操作画面の推移を説明する図である。
【図３】本実施形態に係る画像処理装置における操作画面の推移を説明する図である。
【図４】インターネットエクスプローラなどのウェブブラウザで操作手順を変更する際の画面の一例である。
【図５】ユーザが設定したい条件を選択・設定する操作手順を示すフローチャートである。
【図６】ＲＡＭにおいて管理される各リストボックスの構成を示す図である。
【符号の説明】
【００７３】
１    画像処理装置
２    ネットワーク
３、４    ＰＣ
５    スキャナ部
６    制御部
７    メモリ
８    操作部
９    Ｉ／Ｆ部
１０    ＣＰＵ
１１    ＲＯＭ
１２    ＲＡＭ
【図１】
2007312101.tif 000003
【図２】
2007312101.tif 000004
【図３】
2007312101.tif 000005
【図４】
2007312101.tif 000006
【図５】
2007312101.tif 000007
【図６】
2007312101.tif 000008